(57)【特許請求の範囲】
【請求項１】
主仕切体(1)と副仕切体(2)とから成り、主仕切体(1)には、一対の縦板部(3)に縦仕切部(4)と柱部(5)とを交互に設け、縦板部(3)同士を縦仕切部(4)で繋ぎ、柱部(5)に上端から下方へ向けてスリット(9)を入れ、縦板部(3)の罫線(6,7)に沿った折り曲げにより、縦仕切部(4)で縦板部(3)同士が重なり合い、柱部(5)で縦板部(3)同士が離反するようにし、副仕切体(2)には、一対の横仕切部(21)とこれを繋ぐ繋板部(22)とを設け、横仕切部(21)に下端から上方へ向けて各２本のスリット(23)を入れ、繋板部(22)に一対の横仕切部(21)の各２本のスリット(23)の間に及ぶ開口部(24)を設け、横仕切部(21)を繋板部(22)から直角に折り曲げ、主仕切体(1)の上方から副仕切体(2)を下降させ、隣り合う柱部(5)のスリット(9)の間の部分を繋板部(22)の開口部(24)に挿通し、主仕切体(1)と副仕切体(2)とをスリット(9,23)の相互差込により噛み合わせて一体化した段ボール製仕切。
【請求項２】
前記主仕切体(1)の縦板部(3)を縦仕切部(4)の下端で繋ぎ、縦仕切部(4)を柱部(5)よりも低く設定したことを特徴とする請求項１に記載の段ボール製仕切。
【発明の詳細な説明】
【技術分野】
【０００１】
この発明は、商品収納用トレーに内装する段ボール製仕切に関するものである。
【背景技術】
【０００２】
従来、下記特許文献１には、図５に示すように、液体洗剤のボトルである商品ＳをトレーＴに収納する際、商品Ｓの収納空間を区画すると共に、トレーＴを複数段積み上げた形態での陳列を可能とする段ボール製の仕切Ｂとして、一対の縦板部５１に縦仕切部５２と柱部５３とを交互に設けると共に、両端に横板部５４を設け、縦板部５１同士を縦仕切部５２の上端で繋いだ構成のものが記載されている。
【０００３】
この仕切Ｂは、縦板部５１の罫線に沿った折り曲げにより、縦仕切部５２で縦板部５１同士を重ね合わせ、柱部５３で縦板部５１同士を離反させて角筒状をなすようにし、横板部５４を縦仕切部５２に対し直角に開いて、トレーＴに内装する。
【０００４】
この内装状態では、縦板部５１がトレーＴの側壁６１に平行に延び、横板部５４がトレーＴの端壁６２に内接して延びるようにする。これにより、横板部５４の先端がトレーＴの側壁６１と端壁６２がなす稜部内側に当接して、縦板部５１の折曲部分での反発が抑制され、仕切Ｂの形状が保持される。
【先行技術文献】
【特許文献】
【０００５】
【特許文献１】特開２００７−８４９１号公報
【発明の概要】
【発明が解決しようとする課題】
【０００６】
しかしながら、上記のような仕切Ｂでは、積上陳列の荷重に耐え得る強度を確保するため、材料として複両面段ボール等の厚手のものを使用しなければならず、コストがかかるという問題がある。
【０００７】
また、積上陳列状態において、両端の横板部５４や柱部５３と同じ高さの縦仕切部５２に遮られて、端面方向から商品Ｓが見えず、側面方向から縦仕切部５２の向こう側の商品Ｓも見えないという問題がある。
【０００８】
そこで、この発明は、材料として通常の両面段ボールを使用しても、積上陳列に十分な耐圧強度が得られ、いずれの方向からでも商品が見えるようにすることを課題とする。
【課題を解決するための手段】
【０００９】
上記のような課題を解決するため、この発明に係る段ボール製仕切は、主仕切体と副仕切体とから成り、主仕切体には、一対の縦板部に縦仕切部と柱部とを交互に設け、縦板部同士を縦仕切部で繋ぎ、柱部に上下方向のスリットを入れ、縦板部の罫線に沿った折り曲げにより、縦仕切部で縦板部同士が重なり合い、柱部で縦板部同士が離反するようにし、副仕切体には、一対の横仕切部とこれを繋ぐ繋板部とを設け、横仕切部に上下方向のスリットを入れ、横仕切部を繋板部から直角に折り曲げ、主仕切体と副仕切体とをスリットの相互差込により噛み合わせて一体化した構成としたのである。
【００１０】
また、前記主仕切体の縦板部を縦仕切部の下端で繋ぎ、縦仕切部を柱部よりも低く設定したのである。
【００１１】
さらに、前記主仕切体のスリットを柱部の上端から入れ、副仕切体のスリットを横仕切部の下端から入れて、横仕切部を下端で繋ぐ繋板部に主仕切体のスリットの間の部分を挿通する開口部を設け、主仕切体の上方から副仕切体を噛み合わせたのである。
【発明の効果】
【００１２】
この発明に係る段ボール製仕切では、主仕切体を副仕切体と噛み合わせて保形すると共に、補強しているので、材料として通常の両面段ボールを使用しても、積上陳列に十分な耐圧強度が得られ、コストを削減でき、組立時の折曲作業も容易に行なうことができる。
【００１３】
また、両端に視界を遮る部分を設ける必要がなく、端面方向からでも商品を見ることができ、主仕切体の縦板部を縦仕切部の下端で繋いで、縦仕切部を柱部よりも低く設定することにより、縦仕切部の向こう側の商品を見ることもできる。
【００１４】
さらに、主仕切体の上方から副仕切体を噛み合わせるようにすると、主仕切体を置いた状態で、副仕切体を主仕切体に差し込めるので、組み立てが容易となり、トレーへの内装に際し、主仕切体の両端部を掴んで持ち上げても、副仕切体が主仕切体から脱落することがなく、取り扱いも容易となる。
【図面の簡単な説明】
【００１５】
【図１】この発明の実施形態に係る段ボール製仕切の使用状態を示す斜視図
【図２】同上の仕切及びトレーの分解斜視図
【図３】同上の仕切のブランクを示す図
【図４】同上の仕切を使用したトレーの積上陳列状態を示す斜視図
【図５】従来の段ボール製仕切の使用状態を示す斜視図
【発明を実施するための形態】
【００１６】
以下、この発明の実施形態を添付図面に基づいて説明する。
【００１７】
図１に示すように、この段ボール製仕切Ａは、液体洗剤のスタンディングパウチである商品ＳをトレーＴに収納する際、トレーＴに内装して、商品Ｓの収納空間を区画するものであり、図２に示すように、主仕切体１と副仕切体２とから構成される。
【００１８】
図３に示すように、主仕切体１のブランクでは、一対の縦板部３に縦仕切部４と柱部５とが罫線６を介して交互に設けられ、各縦板部３の両端の柱部５は、中間の柱部５の半分の幅となっており、中間の柱部５には、上下方向の罫線７が中央に入れられている。罫線６，７は、折曲抵抗を軽減するため、切目が断続するものとされている。
【００１９】
縦板部３同士の突合縁は、縦仕切部４で繋部８を介して繋がれ、他の部分が切り離されている。縦仕切部４は、端縁が切り込まれて、柱部５よりも没入するように設定されている。中間の柱部５には、罫線７の延長線上に、先端からスリット９が入れられている。
【００２０】
副仕切体２のブランクでは、一対の横仕切部２１が繋板部２２を介して繋がれ、各横仕切部２１には、繋板部２２側から間隔をおいて２本のスリット２３が入れられている。繋板部２２には、スリット２３の間に開口部２４が設けられている。
【００２１】
上記ブランクから仕切Ａを組み立てるには、図２に示すように、主仕切体１のブランクにおいて、一対の縦板部３を、繋部８を下端として背中合わせに折り曲げ、縦板部３を罫線６，７に沿って谷折り及び山折りすることにより、縦仕切部４で縦板部３同士が重なり合い、柱部５で縦板部３同士が離反して、中間の柱部５が角筒状をなすようにする。
【００２２】
また、副仕切体２のブランクにおいて、横仕切部２１を繋板部２２から起立させ、これらがＵ字状をなすようにする。
【００２３】
そして、主仕切体１の上方から副仕切体２を下降させ、隣り合う柱部５のスリット９の間の部分を繋板部２２の開口部２４に挿通し、図１に示すように、主仕切体１と副仕切体２とをスリット９，２３の相互差込により噛み合わせて一体化する。
【００２４】
このように組み立てた仕切ＡをトレーＴに内装する際には、主仕切体１の縦仕切部４がトレーＴの側壁３１に平行に延び、副仕切体２の横仕切部２１がトレーＴの端壁３２に平行に延びるようにする。
【００２５】
その後、仕切Ａにより区画されたトレーＴの収納空間に、商品Ｓの下部を挿入すると、柱部５が商品Ｓの形状により生じるデッドスペースに収まる。
【００２６】
そして、このようにトレーＴに収納した商品Ｓを大型量販店等で陳列する際には、図４に示すように、仕切Ａを支持材として、トレーＴを多段に積み上げる。
【００２７】
上記のような仕切Ａでは、主仕切体１を副仕切体２と噛み合わせて保形すると共に、補強しているので、材料として通常の両面段ボールを使用しても、積上陳列に耐え得る強度が得られ、梱包に要するコストを削減できるほか、組み立てに際し、主仕切体１及び副仕切体２の折り曲げも容易に行なうことができる。
【００２８】
また、端面方向からでも商品Ｓを見ることができ、主仕切体１の縦板部３を縦仕切部４の下端で繋いで、縦仕切部４を柱部５よりも低く設定したので、縦仕切部４の向こう側の商品Ｓを見ることもでき、開放的な陳列ができる。
【００２９】
さらに、主仕切体１の上方から副仕切体２を噛み合わせるようにしたことにより、主仕切体１を置いた状態で、副仕切体２を主仕切体１に差し込めるので、組み立てが容易となり、トレーＴへの内装に際し、主仕切体１の両端部を掴んで持ち上げても、副仕切体２が主仕切体１から脱落することがなく、取り扱いも容易となる。
【００３０】
なお、上記実施形態では、各１個の主仕切体１と副仕切体２とを噛み合わせたものを例示したが、主仕切体１が多数の縦仕切部４及び柱部５を有する場合、１個の主仕切体１に複数個の副仕切体２を噛み合わせるようにするとよい。
【００３１】
また、主仕切体１の柱部５が四角筒状をなすものを例示したが、柱部５は、六角筒状等の多角筒状としてもよく、各柱部５に複数本のスリット９を入れて、１本の柱部５に複数個の副仕切体２を噛み合わせるようにしてもよい。さらに、両端の柱部５をトレーＴの端壁３２に係合させるようにしてもよく、両端の柱部５を省略し、縦仕切部４をトレーＴの端壁３２に係合させるようにしてもよい。
【００３２】
また、主仕切体１の一対の縦板部３を２本の押罫に挟まれた繋部８を介して繋いだものを例示したが、一対の縦板部３は、縦仕切部４の下端同士を段ボールの表面側から厚さ方向の途中まで入れた半切罫線を介して繋ぐようにしてもよい。
【符号の説明】
【００３４】
Ａ  仕切
１  主仕切体
２  副仕切体
３  縦板部
４  縦仕切部
５  柱部
６，７  罫線
８  繋部
９  スリット
２１  横仕切部
２２  繋板部
２３  スリット
２４  開口部
Ｔ  トレー
３１  側壁
３２  端壁
Ｓ  商品
【図１】
0005613030.tif 000002
【図２】
0005613030.tif 000003
【図３】
0005613030.tif 000004
【図４】
0005613030.tif 000005
【図５】
0005613030.tif 000006